(57)【要約】【課題】中低音再現性が良い音響装置を提供する。【解決手段】イヤホン１０は、ドライバユニット１２とイヤプラグ１５とを有する。イヤプラグ１５は、ドライバユニット１２を外耳道１１０に向けて保持する。ドライバユニット１２はキャップ１３で被覆されている。イヤプラグ１５は、ドライバユニット１２を覆うキャップ１３及び外耳道１１０の内壁１１０ａに密着する。イヤプラグ１５は、ドライバユニット１２の放音部１２ａを覆う。ドライバユニット１２は、比較的低域の音に比べて比較的高域の音に対する遮音性が高い。ドライバユニット１２は、低反発フォーム又は低反発ゴムである。【選択図】図８
2019121895.tif 000002
【特許請求の範囲】
【請求項１】
ドライバユニットと、当該ドライバユニットを外耳道に向けて保持する保持体と、を有し、
前記保持体は、
前記ドライバユニットの側壁と外耳道の内壁との間を埋める振動伝達材である、音響装置。
【請求項２】
前記保持体は、前記ドライバユニットの放音部を覆う、請求項１記載の音響装置。
【請求項３】
前記保持体は、前記ドライバユニットの放音部と通じる空洞を有する、請求項１記載の音響装置。
【請求項４】
前記保持体は、比較的低域の音に比べて比較的高域の音に対する遮音性が高い、請求項１記載の音響装置。
【請求項５】
前記保持体は、前記ドライバユニットの全体を収容している、請求項１乃至４のいずれかに記載の音響装置。
【請求項６】
前記保持体は、
前記外耳道内に挿入される挿入部を有し、
当該挿入部は、前記ドライバユニットの全体又は一部を収容している、請求項５に記載の音響装置。
【請求項７】
前記保持体は、
前記外耳道内に挿入される挿入部と、前記外耳道の外側に配置される外側部と、を有し、
当該外側部は、前記ドライバユニットの全体又は一部を収容している、請求項５に記載の音響装置。
【請求項８】
前記ドライバユニットを被覆するキャップを更に有し、
前記保持体は、前記ドライバユニットを当該キャップごと収容している、請求項５乃至７のいずれかに記載の音響装置。
【請求項９】
前記ドライバユニットの全体又は一部を収容する収容体を更に有し、
前記保持体は、当該収容体の全体又は一部を収容している、請求項５乃至７のいずれかに記載の音響装置。
【請求項１０】
前記保持体は、伸縮性及び柔軟性を有する、請求項１乃至９のいずれかに記載の音響装置。
【請求項１１】
前記保持体は、低反発フォーム又は低反発ゴムである、請求項１０に記載の音響装置。
【発明の詳細な説明】
【技術分野】
【０００１】
本発明は、耳に装着して使用する音響装置に関する。
【背景技術】
【０００２】
耳に装着して使用する音響装置として、イヤホンが多数商品化されている。
イヤホンは、インナーイヤー型イヤホン（イントラコンカ型イヤホン、オープンエア型イヤホン、等とも称される）とカナル型（耳栓型、密閉型、等とも称される）イヤホンとに大別される。
【０００３】
図２０に示すように、インナーイヤー型イヤホン５０は、ドライバユニット５１を内蔵したハウジング５２を、耳珠１１４と対耳珠１１５とに囲まれた窪み部分（耳甲介腔）１１３に嵌めて使用する。
【０００４】
図２１に示すように、カナル型イヤホン６０は、ドライバユニット６１を内蔵したハウジング６２と、ハウジング６２から突出した音導管６３と、音導管６３の周りに装着されたイヤピース６４と、を備えている。カナル型イヤホン６０は、イヤピース６４を外耳道１１０に挿入して使用する。
【先行技術文献】
【特許文献】
【０００５】
【特許文献１】特開2010-232982号公報
【発明の概要】
【発明が解決しようとする課題】
【０００６】
イヤホンは、比較的小口径のドライバユニットを採用せざるを得ない。このため、いわゆるヘッドホンなどと比較して中低音再現性が良くない。中低音再現性をより良くするためには、外耳道の密閉性を高める必要がある。そして、外耳道の内壁とドライバユニットとの間の振動伝達効率を高める必要がある。
【０００７】
インナーイヤー型イヤホン５０は、カナル型イヤホン６０と比較して、大口径のドライバユニットを採用することができる。このため、インナーイヤー型イヤホン５０は、ドライバユニットの性能のみに着目するならば、中低音再現性が良い。しかし、インナーイヤー型イヤホン５０は、外耳道を密閉しないため、ドライバユニットの性能を生かすことが難しい。また、インナーイヤー型イヤホン５０は、外耳道に接触しないため、外耳道の内壁とドライバユニット５１との間の振動伝達効率が極めて低く、中低音再現性が良くない。
【０００８】
カナル型イヤホン６０は、イヤピース６４で外耳道１１０を密閉する。このため、カナル型イヤホン６０は、比較的小口径のドライバユニットを採用している割には、良好な低音再現性が得られるとも思われる。しかし、カナル型イヤホン６０は、ドライバユニット６１の放音部６１ａから出た音を音導管６３を通して外耳道内に導く構造故、中低音再現性が良くない。
【０００９】
カナル型イヤホン６０のイヤピース６４は、円筒状の基部６４ａと、基部６４ａの一端側（外耳道の奥に向く側）から外方に張り出すと共に他端側に向かって基部６４ａを覆うように薄肉で形成された傘状乃至ドーム状のフランジ６４ｂと、を有する。このため、外耳道１１０の内壁１１０ａと基部６４ａとの間に空間Ｃが形成される。この空間Ｃの存在故に、カナル型イヤホン６０は、外耳道１１０の内壁１１０ａとドライバユニット６１との間の振動伝達効率がかなり低下する。このことも、カナル型イヤホン６０の中低音再現性を悪くする要因である。
【００１０】
本発明が解決しようとする課題は、中低音再現性が良い音響装置を提供することにある。
【課題を解決するための手段】
【００１１】
本発明の音響装置には、以下の音響装置が含まれる。
構成１：
ドライバユニットと保持体とを有する音響装置。
保持体は、ドライバユニットを外耳道に向けて保持する。
保持体は、ドライバユニットの側壁及び外耳道の内壁に密着する。
保持体は、振動伝達材である。
振動伝達材は、ドライバユニットの側壁と外耳道の内壁との間を埋める。
【００１２】
構成２：
保持体は、ドライバユニットの放音部を覆う。
【００１３】
構成３：
保持体は、ドライバユニットの放音部と通じる空洞を有する。
【００１４】
構成４：
保持体は、比較的低域の音に比べて比較的高域の音に対する遮音性が高い。
【００１５】
構成５：
保持体は、ドライバユニットの全体を収容している。
【００１６】
構成６：
保持体は、外耳道内に挿入される挿入部を有する。
挿入部は、ドライバユニットの全体又は一部を収容している。
【００１７】
構成７：
保持体は、
外耳道内に挿入される挿入部と、外耳道の外側に配置される外側部と、を有する。
挿入部は、外耳道内に挿入される。
外側部は、外耳道の外側に配置される。
外側部は、ドライバユニットの全体又は一部を収容している。
【００１８】
構成８：
本発明の一実施形態の音響装置は、ドライバユニットを被覆するキャップを有する。
保持体は、ドライバユニットをキャップごと収容している。
【００１９】
構成９：
本発明の一実施形態の音響装置は、ドライバユニットの全体又は一部を収容する収容体を更に有する。
前記保持体は、当該収容体の全体又は一部を収容している。
【００２０】
構成１０：
保持体は、伸縮性及び柔軟性を有する。
【００２１】
構成１１：
保持体は、低反発フォーム又は低反発ゴムである。
【図面の簡単な説明】
【００２２】
【図１】第１実施形態に係る音響装置（左耳用）の側面図
【図２】第１実施形態に係る音響装置（右耳用）の側面図
【図３】図２に示す音響装置の部分断面図
【図４】図２に示す音響装置の保持体を除いた部分側面図
【図５】保持体の斜視図
【図６】保持体を別の方向から視た斜視図
【図７】保持体の断面図
【図８】図２に示す音響装置を耳に装着した状態を示す模式断面図
【図９】第２実施形態に係る保持体の断面図
【図１０】第３実施形態に係る保持体の断面図
【図１１】第４実施形態に係る音響装置の断面図
【図１２】図１１に示す音響装置を耳に装着した状態を示す模式断面図
【図１３】第５実施形態に係る音響装置の断面図
【図１４】第６実施形態に係る音響装置の断面図
【図１５】第７実施形態に係る音響装置の斜視図
【図１６】図１５に示す音響装置を耳に装着した状態を示す模式断面図
【図１７】第８実施形態に音響装置を耳に装着した状態を示す模式断面図
【図１８】第９実施形態に音響装置を耳に装着した状態を示す模式断面図
【図１９】第１０実施形態に音響装置を耳に装着した状態を示す模式断面図
【図２０】インナーイヤー型イヤホンを耳に装着した状態を示す図
【図２１】カナル型イヤホンを耳に装着した状態を示す図
【発明を実施するための形態】
【００２３】
［第１実施形態］
図１及び図２に示す音響装置１０（１０Ｌ、１０Ｒ）は、耳１００（図８）に装着して使用する音響装置（以下、イヤホンと記す）である。図１に示す左耳用のイヤホン１０Ｌ及び図２に示す右耳用のイヤホン１０Ｒは、通常ペアで使用される。左耳用と右耳用のどちらか一方のイヤホン１０Ｌ、１０Ｒを単体で使用することも可能である。両イヤホン１０Ｌ、１０Ｒの構造は、略同じである。以下、右耳用のイヤホン１０Ｒについて説明する。
【００２４】
図３に示すように、イヤホン１０Ｒは、本体１１と、ドライバユニット１２と、キャップ１３と、保持体（以下、「イヤプラグ」と記す）１５と、コード（ケーブル）１６と、を有している。
【００２５】
図３及び図４に示すように、本体１１は、摘持部１１ａと、筒部１１ｂと、係止部１１ｃと、コード引出部１１ｄと、を有する。
【００２６】
本体１１は、合成樹脂によって形成される。
【００２７】
摘持部１１ａは、イヤホン１０を耳に付け外しする際に、指で摘持する部分である。
【００２８】
筒部１１ｂは、摘持部１１ａから突出している。筒部１１ｂは、耳１００へのイヤホン１０の装着時に、外耳道１１０（図８）に臨ませて配置される部分である。筒部１１ｂの軸方向がイヤホン１０の外耳道１１０への挿抜方向Ａとなる。
【００２９】
係止部１１ｃは、筒部１１ｂに設けられたフランジ状の部分である。係止部１１ｃは、筒部１１ｂの外周面から径方向外方に突出している。係止部１１ｃは、摘持部１１ａ側に傾斜している。係止部１１ｃの外耳道１１０に臨ませて配置される側の面１１ｓは、部分円錐面である。
【００３０】
コード引出部１１ｄは、摘持部１１ａから突出している。コード引出部１１ｄは、耳へのイヤホン１０の装着時に、耳介の耳珠１１４と対耳珠１１５との間に配置される部分である。
【００３１】
ドライバユニット１２は、入力電気信号に基づく放音（音響再生）を行う。ドライバユニット１２は、筒部１１ｂに固定されている。ドライバユニット１２の形状は、円柱状である。ドライバユニット１２は、筒部１１ｂと互いに同軸に配置されている。
【００３２】
キャップ１３は、金属製である。キャップ１３は、ドライバユニット１２を被覆している。キャップ１３は、ドライバユニット１２を保護する。キャップ１３は、本体１１の筒部１１ｂに固定されている。キャップ１３は、ドライバユニット１２の放音部１２ａを覆う端板部１３ａと、ドライバユニット１２の側面１２ｂを覆う円筒部１３ｂと、を有する。端板部１３ａには、放音部１２ａからの音が通る複数の貫通孔が設けられている。円筒部１３ｂは、ドライバユニット１２の側面１２ｂに接触又は近接している。
【００３３】
コード１６は、図示しない再生装置からの電気信号をドライバユニット１２に伝達する。コード１６の一端は、ドライバユニット１２の信号端子に接続されている。コード１６の他端側は、コード引出部１１ｄの端部から本体１１の外に延びている。
【００３４】
イヤプラグ１５は、図５乃至図７に示すように、二段ドーム状すなわち、大径のドームの外側に小径のドームを重ねた形状を呈する。イヤプラグ１５は、非貫通型である。すなわち、イヤプラグ１５は、これを貫通する孔を有していない。
【００３５】
イヤプラグ１５は、収容室（空洞）１５ａを有する。収容室１５ａは、最大径側の端１５ｂに開口している。収容室１５ａの形状は円柱状である。収容室１５ａは、イヤプラグ１５の最大径側の端１５ｂから、最小径側の端１５ｃに向かって途中まで延びている。収容室１５ｃの径寸法は、キャップ１３及び係止部１１ｂの径寸法よりも若干小さい。これらの形状及び寸法は、イヤプラグ１５が変形していない状態での形状及び寸法である。
【００３６】
図３に示すように、イヤプラグ１５は、収容室１５ａ内に、ドライバユニット１２の全体を収容する。イヤプラグ１５は、収容室１５ａ内に、キャップ１３から本体１１の筒部１１ｂまで収容する。収容室１５ａは、キャップ１３、係止部１１ｃ及び筒部１１ｂの形状に倣って変形する。収容室１５ａの最奥面１５ｄ（図７）は、端板部１３ａに接する。収容室１５ａの内周面１５ｅ（図７）は、円筒部１３ｂ、係止部１１ｃ及び筒部１１ｂに接する。
【００３７】
収容室１５ａの開口部近傍の内周面が係止部１１ｃに倣って変形することにより、イヤプラグ１５が係止部１１ｃに係止される。これにより、本体１１からのイヤプラグ１５の外れが防止される。また、収容室１５ａの内周面１５ｅとキャップ１３の円筒部１３ｂとの間の圧接力（摩擦力）により、本体１１からのイヤプラグ１５の外れが防止される。
【００３８】
イヤプラグ１５は、これをキャップ１３及び筒部１１ｂから引き剥がすことにより、交換可能である。
【００３９】
図８に示すように、イヤプラグ１５は、その大部分が外耳道１１０内に挿入される。すなわち、このイヤプラグ１５は、その大部分が挿入部１７（図７）からなる。イヤプラグ１５は、キャップ１３及び本体１１を介して、ドライバユニット１２を外耳道１１０の奥に向けて保持する。イヤプラグ１５は、キャップ１３の少なくとも円筒部１３ｂに密着する。イヤプラグ１５は、外耳道１１０の内壁１１０ａに密着する。
【００４０】
イヤプラグ１５は、粘弾性フォームからなる振動伝達材である。イヤプラグ１５の素材の例として、低反発ポリウレタンを挙げることができる。イヤプラグ１５は、圧縮されると変形する。イヤプラグ１５は、圧縮されなくなると、元の形状にゆっくりと戻る。
【００４１】
イヤプラグ１５は、キャップ１３と外耳道１１０の内壁１１０ａとの間を埋める。ドライバユニット１２と外耳道１１０の内壁１１０ａとの間は、キャップ１３とイヤプラグ１５とにより、振動伝達可能に接続される。
【００４２】
イヤプラグ１５は、ドライバユニット１２から放音される音の伝達媒体となる。ドライバユニット１２から放音された音の一部は、イヤプラグ１５を通過する。イヤプラグ１５は、ドライバユニット１２から放音された音のエネルギーを一部吸収する。その吸収されたエネルギーの一部は、イヤプラグ１５を媒体とする振動のエネルギーである。
【００４３】
ドライバユニット１２の放音部１２ａから出た音の一部は、イヤプラグ１５を介して外耳道１１０の奥側（鼓膜側）の空間に放音（空気振動として放出）される。ドライバユニット１２の放音部１２ａから出た音の一部は、イヤプラグ１５を伝って外耳道１１０の内壁１１０ａに伝達される。外耳道１１０の内壁１１０ａに伝達される音（振動）には、粘弾性体としてのイヤプラグ１５を媒体とする固体振動が含まれる。ドライバユニット１２の振動の一部は、キャップ１３及びイヤプラグ１５を介して外耳道１１０の内壁１１０ａに伝達される。
【００４４】
イヤプラグ１５は、遮音性を有する。イヤプラグ１５は、比較的高域の音に対する遮音性が高い。
【００４５】
上記のように、イヤホン１０は、ドライバユニット１２の放音部１２ａから出た音を、音導管６３（図２１）を通さずに外耳道１１０内に放音する。また、イヤホン１０は、ドライバユニット１２と外耳道１１０の内壁１１０ａとを、キャップ１３及びイヤプラグ１５を介して振動伝達可能に接続する。このため、イヤホン１０は、図２０に示したカナル型イヤホン６０と比較して中低音再現性が良い。
【００４６】
また、イヤホン１０は、非貫通型のイヤプラグ１５を備えている。このため、イヤホン１０は、貫通型のイヤプラグを備えたものと比較して低音再現性が良い。これは、イヤプラグ１５が、比較的高域の音に対する遮音性（吸音性）が高い性質を持つことによる。すなわち、ドライバユニット１２の放音部１２ａから出た音は、イヤプラグ１５を経ることにより、高域成分に対し低域成分が相対的に増幅される。
【００４７】
また、イヤホン１０は、ドライバユニット１２の振動（放音部１２ａから出た音及びドライバユニット１２自体の振動を含む）を、イヤプラグ１５を介して外耳道１１０の内壁１２ａに伝達するので、ドライバユニット１２による再生音を、空気の振動のみならず、皮膚及び骨の振動によって、聴覚器官（耳小骨、渦巻管、等）に伝達することができる。このことは、再生音の可聴性に極めて有利に働く。
【００４８】
また、イヤホン１０は、そのドライバユニット１２の全体が粘弾性フォームからなるイヤプラグ１５により覆われているため、マイク（拾音装置）との併用に適している。すなわち、マイクにより拾音した音声をイヤホン１０で再生する場合における、ハウリングの発生を防止し得る。これは、粘弾性フォームからなるイヤプラグ１５が、ドライバユニット１２からの音声に含まれるピーク周波数（ハウリングのトリガとなる周波数）の音を減衰させる効果を有するためである。また、非貫通型のイヤプラグ１５は、貫通型のものと比較してハウリング防止性能が良い。
【００４９】
［第２実施形態］
図９に示すイヤプラグ１５１は、ドライバユニット１２の放音部１２ａと通じる空洞１５１ａを有する。空洞１５１ａは、収容室１５ａから最小径側の端１５ｃの近傍まで延びている。空洞１５１ａの奥は、ドーム状になっている。イヤホン１５１は、非貫通型である。イヤプラグ１５１は、図７の構造のイヤプラグ１５と比較して、ドライバユニット１２の放音部１２ａから出た音が透過しやすい。このため、図９の構造のイヤプラグ１５１を備えたイヤホンは、図７の構造のイヤプラグ１５を備えたイヤホン１０と比較して、低音再現性が良くない反面、高音再現性が良い。また、図９の構造のイヤプラグ１５１を備えたイヤホンは、図７の構造のイヤプラグ１５を備えたイヤホン１０と比較して、高音再現性が良い反面、ハウリング防止性能が悪い。なお、両者のハウリング防止性能は、耳１００に装着した状態においては同等である。
【００５０】
［第３実施形態］
図１０に示すイヤプラグ１５２は、収容室１５ａから最小径側の端１５ｃに連通する貫通孔１５２ａを有している。イヤプラグ１５２は、図７の構造のイヤプラグ１５と比較して、ドライバユニット１２の放音部１２ａから出た音が透過しやすい。すなわち、ドライバユニット１２の放音部１２ａから出た音（空気振動）の一部は、貫通孔１５２ａを通って外耳道１１０の奥側（鼓膜側）の空間に放音（空気振動として放出）され得る。このため、図１０の構造のイヤプラグ１５２を備えたイヤホンは、図７の構造のイヤプラグ１５を備えたイヤホン１０と比較して、低音再現性が良くない反面、高音再現性が良くなる可能性がある。高音再現性をより良くするためには、貫通孔１５２ａの径寸法は、より大きいことが好ましい。中低音再現性をより良くするためには、貫通孔１５２ａの径寸法は、より小さいことが好ましい。中低音再現性をより良くするためには、貫通孔１５２ａの径寸法は、非圧縮状態で１ｍｍ以下であることが好ましい。
【００５１】
なお、耳１００に装着した状態においては、貫通孔１５２ａは閉塞され得る。しかし、貫通孔１５２ａの全空間が消失しない限り、貫通孔１５２ａの存在は高音再現性の向上に寄与し得る。
【００５２】
［第４実施形態］
図１１及び図１２に示すイヤホン２０は、音響ユニット２１とイヤプラグ２３とを有する。
【００５３】
音響ユニット２１は、ドライバユニット１２と収容体２２とを有する。
【００５４】
収容体２２は、ドライバユニット１２の全体を収容している。
収容体２２は、基板２２１とカバ−２２２とを有している。
【００５５】
基板２２１は、円板状である。基板２２１の片面には、突起部２２１ａが設けられている。突起部２２１ａは、基板２２１の周縁に沿って設けられている。突起部２２１ａは、基板２２１の片面から同心円状に突出している。突起部２２１ａに、ドライバユニット１２が固定されている。
【００５６】
カバ−２２２は、側壁２２２ａと端板２２２ｂとを有する。側壁２２２ａ及び端板２２２ｂは一体成型されている。側壁２２２ａは、円筒状である。側壁２２２ａの外径は、基板２２１の外径と略等しい。端板２２２ｂは、円板状である。端板２２２ｂは、側壁２２２ａの一端側を塞いでいる。端板２２２ｂには、複数の貫通孔が設けられている。側壁２２２ａの他端は基板２２１に固定されている。側壁２２２ａと基板２２１との固定方法は任意である。側壁２２２ａと基板２２１との固定方法の例として、接着を挙げることができる。
【００５７】
ドライバユニット１２の放音部１２ａは、端板２２２ｂと近接又は接触している。ドライバユニット１２の側面１２ｂは、側壁２２２ａと近接又は接触している。
【００５８】
端板２２２ｂの中央部には、軸方向に貫通する貫通孔２２２ｃが設けられている。貫通孔２２２ｃには、コード１６が挿通されている。コード１６の一端は、ドライバユニット１２の信号端子に接続されている。コード１６の他端側は、端板２２２ｂから音響ユニット２１の外に延びている。
【００５９】
イヤプラグ２３は、球形である。イヤプラグ２３は、音響ユニット２１を収容する収容室２３ａを有する。イヤプラグ２３は、切れ込みを有する。イヤプラグ２３は、その切れ込みを通して収容室２３ａ内に音響ユニット２１を装着可能である。コード１６は、その切れ込みを通してイヤプラグ２３の外に引き出されている。
【００６０】
図１２に示すように、イヤプラグ２３は、その略半分が外耳道１１０内に挿入される。すなわち、このイヤプラグ２３は、その略半分が挿入部１７を構成する。イヤプラグ２３は、音響ユニット２１を外耳道１１０の奥に向けて保持する。より詳細には、イヤプラグ２３は、収容体２２を介して、ドライバユニット１２を外耳道１１０の奥に向けて保持する。イヤプラグ２３は、収容体２２の側壁２２２ａに密着する。イヤプラグ２３は、外耳道１１０の内壁１１０ａに密着する。
【００６１】
イヤプラグ２３は、粘弾性フォームからなる振動伝達材である。イヤプラグ２３の素材の例として、低反発ポリウレタンを挙げることができる。イヤプラグ２３は、圧縮されると変形する。イヤプラグ２３は、圧縮されなくなると、元の形状にゆっくりと戻る。
【００６２】
イヤプラグ２３は、収容体２２の側壁２２２ａと外耳道１１０の内壁１１０ａとの間を埋める。ドライバユニット１２と外耳道１１０の内壁１１０ａとの間は、収容体２２とイヤプラグ２３とにより、振動伝達可能に接続される。
【００６３】
イヤプラグ２３は、ドライバユニット１２から放音される音の伝達媒体となる。ドライバユニット１２から放音された音の一部は、イヤプラグ２３を通過する。イヤプラグ２３は、ドライバユニット１２から放音された音のエネルギーを一部吸収する。その吸収されたエネルギーの一部は、イヤプラグ２３を媒体とする振動のエネルギーである。
【００６４】
ドライバユニット１２の放音部１２ａから出た音の一部は、イヤプラグ２３を介して外耳道１１０の奥側（鼓膜側）の空間に放音（空気振動として放出）される。ドライバユニット１２の放音部１２ａから出た音の一部は、イヤプラグ２３を伝って外耳道１１０の内壁１１０ａに伝達される。外耳道１１０の内壁１１０ａに伝達される音（振動）には、粘弾性体としてのイヤプラグ２３を媒体とする固体振動が含まれる。ドライバユニット１２の振動の一部は、収容体２２及びイヤプラグ２３を介して外耳道１１０の内壁１１０ａに伝達される。
【００６５】
イヤプラグ２３は、遮音性を有する。イヤプラグ２３は、比較的高域の音に対する遮音性が高い。
【００６６】
上記のように構成されたイヤホン２０は、コード１６の先端に球形のイヤプラグ２３が設けられているという、極めてシンプル且つ斬新な外観を有する。
【００６７】
また、イヤホン２０は、ドライバユニット１２の放音部１２ａから出た音を、音導管６３（図２１）を通さずに外耳道１１０内に放音する。また、イヤホン２０は、ドライバユニット１２と外耳道１１０の内壁１１０ａとを、収容体２２及びイヤプラグ２３を介して振動伝達可能に接続する。このため、イヤホン２０は、図２１に例示したカナル型イヤホン６０と比較して中低音再現性が良い。
【００６８】
また、イヤホン２０は、非貫通型のイヤプラグ２３を備えている。このため、イヤホン２０は、貫通型のイヤプラグを備えたものと比較して低音再現性が良い。これは、イヤプラグ２３が、比較的高域の音に対する遮音性（吸音性）が高い性質を持つことによる。すなわち、ドライバユニット１２の放音部１２ａから出た音は、イヤプラグ２３を経ることにより、高域成分に対し低域成分が相対的に増幅される。
【００６９】
また、イヤホン２０は、ドライバユニット１２の振動（放音部１２ａから出た音及びドライバユニット１２自体の振動を含む）を、イヤプラグ２３を介して外耳道１１０の内壁１１０ａに伝達するので、ドライバユニット１２による再生音を、空気の振動のみならず、皮膚及び骨の振動によって、聴覚器官（耳小骨、渦巻管、等）に伝達することができる。このことは、再生音の可聴性に極めて有利に働く。
【００７０】
また、イヤホン２０は、そのドライバユニット１２の全体が粘弾性フォームからなるイヤプラグ２３により覆われているため、マイク（拾音装置）との併用に適している。すなわち、マイクにより拾音した音声をイヤホン２０で再生する場合における、ハウリングの発生を防止し得る。これは、粘弾性フォームからなるイヤプラグ２３が、ドライバユニット１２からの音声に含まれるピーク周波数（ハウリングのトリガとなる周波数）の音を減衰させる効果を有するためである。また、非貫通型のイヤプラグ２３は、貫通型のものと比較してハウリング防止性能が良い。
【００７１】
なお、ドライバユニット１２の放音部１２ａとカバ−２２２の端板２２２ｂとの間に隙間が在り、且つ、ドライバユニット１２の側面１２ｂとカバ−２２２の側壁２２２ａとの間に隙間が在る場合、ドライバユニット１２とカバ−２２２との間に、空間Ｓが形成される。この場合、ドライバユニット１２の放音部１２ａから放音された音の一部が当該空間Ｓ内に伝わる。そして、当該空間Ｓ内に伝わった音の一部が、カバ−２２２の側壁２２２ａ及びイヤプラグ２３を介して外耳道１１０の内壁１１０ａに伝わる。
【００７２】
［第５実施形態］
図１３に示すイヤホン２５は、収容室２３ａがイヤプラグ２３の一端に開口している。音響ユニット２１は、基板２２１の外側端面２２１ｂを露出させて、収容室２３ａに収容されている。
【００７３】
上記のように構成されたイヤホン２５は、図１１に示したイヤホン２０と比較して、音漏れが生じ易い。また、音響ユニット２１からイヤプラグ２３が外れやすい。その反面、音響ユニット２１へのイヤプラグ２３の被着が容易である。
【００７４】
なお、基板２２１の外側端面２２１ｂを、イヤプラグ２３と同じ曲率の球面とすることにより、図１１と同様の外観のイヤホンを実現できる。
【００７５】
［第６実施形態］
図１４に示すイヤホン２６の音響ユニット２１は、略球形状のカバ−２２３を有している。また、図１４に示すイヤホン２６のイヤプラグ２３は、略球形状の収容部２３ａを有する。カバ−２２３は、基板２２１に固定された略半球状の反射部２２３ａと、反射部２２３ａに固定された略半球状の透過部２２３ｂと、からなる。ドライバユニット１２の放音部１２ａは、透過部２２３ｂに面している。反射部２２３ａは、ドライバユニット１２からの音を反射し得る。透過部２２３ｂは、ドライバユニット１２からの音を良好に透過し得る。透過部２２３ｂの例として、多数の孔が開いた部材や網状の部材を挙げることができる。
【００７６】
上記のように構成されたイヤホン２６は、ドライバユニット１２の放音部１２ａから出た音を、音導管６３（図２１）を通さずに外耳道１１０内に放音する。また、イヤホン２６は、音響ユニット２１と外耳道１１０の内壁１１０ａ（図１２）とを、イヤプラグ２３を介して振動伝達可能に接続する。このため、イヤホン２６は、図２１に例示したカナル型イヤホン６０と比較して中低音再現性が良い。
【００７７】
また、イヤホン２６は、ドライバユニット１２の放音部１２ａから出た音の大部分を、略半球形状の透過部２２３ｂを通してイヤプラグ２３内に放音する。このため、イヤホン２６は、ドライバユニット１２からの音を、より効果的に、イヤプラグ２３を介して外耳道１１０の奥側（鼓膜側）の空間に放音（空気振動として放出）し得る。また、イヤホン２６は、ドライバユニット１２からの音を、より効果的に、外耳道１１０の内壁１１０ａに伝達し得る。また、ドライバユニット１２の振動の一部を、基板２２１、反射部２２３ａ及びイヤプラグ２３を介して外耳道１１０の内壁１１０ａに伝達し得る。このため、イヤホン２６は、図１３に示したイヤホン２５よりも優れた可聴性能を有する。
【００７８】
［第７実施形態］
図１５及び図１６に示すイヤホン３０は、大小二つの楕円球体を結合させた形をしている。イヤホン３０は、挿入部３２と外側部３３とを有する。挿入部３２は小さい方の楕円体である。外側部３３は、大きい方の楕円体である。楕円体には、球体が含まれる。挿入部３２は、外耳道１１０内に挿入される。外側部３３は、外耳道１１０の外側に配置される。外側部３３は、ドライバユニット１２の全体を収容している。外側部３３は、耳甲介腔１１３（図２０参照）に嵌まる。イヤホン３０は、その本体がイヤプラグ３１になっている。イヤプラグ３１は、非貫通型である。
【００７９】
イヤプラグ３１は、伸縮性及び柔軟性を有する。イヤプラグ３１の素材の例として、低反発ポリウレタンを挙げることができる。挿入部３２及び外側部３３は、互いに一体成形されて、イヤプラグ３１を構成する。外側部３３の内部には、収容室２３ａが形成されている。ドライバユニット１２は、収容室２３ａに収容されている。
【００８０】
イヤプラグ３１は、切り込みを有する。イヤプラグ３１は、その切り込みを通して収容室２３ａ内にドライバユニット１２を装着可能である。
【００８１】
イヤプラグ３１は、遮音性を有する。イヤプラグ１５は、比較的高域の音に対する遮音性が高い。
【００８２】
図１６に示すように、イヤプラグ３１の挿入部３２は、その大部分が外耳道１１０内に挿入される。外側部３３は、外耳道１１０の入口の周囲に接触する。イヤプラグ３１の挿入部３２は、ドライバユニット１２を外耳道１１０の奥に向けて保持する。イヤプラグ３１は、ドライバユニット１２に密着する。イヤプラグ３１は、外耳道１１０の内壁１１０ａに密着する。イヤプラグ３１は、振動伝達材である。イヤプラグ３１は、ドライバユニット１２と外耳道１１０の内壁１１０ａとの間を埋める。ドライバユニット１２と外耳道１１０の内壁１１０ａとの間は、イヤプラグ３１により振動伝達可能に接続される。
【００８３】
イヤプラグ３１は、ドライバユニット１２から放音される音の伝達媒体となる。ドライバユニット１２から放音された音の一部は、イヤプラグ３１を通過する。イヤプラグ３１は、ドライバユニット１２から放音された音のエネルギーを一部吸収する。その吸収されたエネルギーの一部は、イヤプラグ３１を媒体とする振動のエネルギーである。
【００８４】
ドライバユニット１２の放音部１２ａから出た音の一部は、外側部３３の一部及び挿入部３２を介して外耳道１１０の奥側（鼓膜側）の空間に放音（空気振動として放出）される。ドライバユニット１２の放音部１２ａから出た音の一部は、挿入部３２を伝って外耳道１１０の内壁１１０ａに伝達される。ドライバユニット１２の振動の一部は、挿入部３２を介して外耳道１１０の内壁１１０ａに伝達される。
【００８５】
コード１６の一端１６ａは、ドライバユニット１２の信号端子に接続されている。コード１６の他端側は、外側部３３の端からイヤプラグ３１の外に延びている。
【００８６】
上記のように、イヤホン３０は、ドライバユニット１２の放音部１２ａから出た音を、音導管６３（図２１）を通さずに外耳道１１０内に放音する。また、イヤホン３０は、ドライバユニット１２と外耳道１１０の内壁１１０ａとを、イヤプラグ３１を介して振動伝達可能に接続する。このため、イヤホン３０は、図２１に例示したカナル型イヤホン６０と比較して中低音再現性が良い。
【００８７】
また、イヤホン３０は、非貫通型のイヤプラグ３１を備えている。このため、イヤホン３０は、貫通型のイヤプラグを備えたものと比較して低音再現性が良い。これは、イヤプラグ３１の挿入部３２が、比較的高域の音に対する遮音性（吸音性）が高い性質を持つことによる。すなわち、ドライバユニット１２の放音部１２ａから出た音は、挿入部３２を経ることにより、高域成分に対し低域成分が相対的に増幅される。
【００８８】
また、イヤホン３０は、ドライバユニット１２の振動（放音部１２ａから出た音及びドライバユニット１２自体の振動を含む）を、挿入部３２を介して外耳道１１０の内壁１１０ａに伝達するので、ドライバユニット１２による再生音を、空気の振動のみならず、皮膚及び骨の振動によって、聴覚器官（耳小骨、渦巻管、等）に伝達することができる。このことは、再生音の可聴性に極めて有利に働く。
【００８９】
また、イヤホン３０は、挿入部３２が外耳道１１０に嵌まり且つ外側部３３が耳甲介腔１１３（図２０参照）に嵌まることにより、耳に安定に保持される。また、イヤホン３０は、イヤプラグ３１が伸縮性及び柔軟性を有するので、装着感が良好である。
【００９０】
［第８実施形態］
図１７に示すイヤホン３５は、ワイヤレスタイプのイヤホンである。イヤホン３５は、コード１６（図１６）を有さない。イヤホン３５は、音響ユニット３６を有する。外側部３３は、音響ユニット３６の全体を収容している。イヤプラグ３１の外側部３３の内部には、収容室２３ａが形成されている。音響ユニット３６は、収容室２３ａに収容されている。イヤプラグ３１は、切り込み部を有する。イヤプラグ３１は、その切り込み部を通して収容室２３ａ内に音響ユニット３６を装着可能である。
【００９１】
音響ユニット３６は、ドライバユニット１２と無線モジュール３７とハウジング３８とを有する。無線モジュール３７は、受信部と電池と操作部と制御部とを有する（何れも図示省略）。受信部は、送信器（オーディオプレイヤ、スマートフォン、等、オーディオコンテンツ提供装置）から無線送信された信号を受信する。受信部と送信器との間の通信プロトコルとして、Ｗｉ−Ｆｉ（登録商標）、ブルートゥース（登録商標）、または他のプロトコルを使用することができる。受信部は、受信した信号を電気信号に変換する。受信部は、変換した電気信号をドライバユニット１２に入力する。ドライバユニット１２は、入力された電気信号を音響に変換し、放音部１２ａから放音する。電池は、ドライバユニット１２及び制御部に電力を供給する。制御部は、操作部に対してなされる操作に応じて、電池からの電力の供給をオン／オフさせたり、受信部による電気信号の出力を増減させたりする。その他の構成は、図１６のイヤホン３０と同様である。
【００９２】
上記のように構成されたイヤホン３５は、図２１に例示したカナル型イヤホン６０と比較して中低音再現性が良い。
【００９３】
［第９実施形態］
図１８に示すイヤホン４０は、挿入部３２の内部に楕円体状の中空部３２ａを有する。中空部３２ａは、挿入部３２の外形と相似形である。中空部３２ａと収容室２３ａは細い通路３１ａを介して連通している。その他の構成は、図１６のイヤホン３０と同様である。
【００９４】
上記のように構成されたイヤホン４０は、図２１に例示したカナル型イヤホン６０と比較して中低音再現性が良い。また、イヤホン４０は、図１６のイヤホン３０と比較して、高音再現性が良い。
【００９５】
［第１０実施形態］
図１８に示すイヤホン４１は、収容室２３ａから挿入側先端３１ｂに連通する貫通孔（音通路）３１ｃを有している。その他の構成は、図１６のイヤホン３０と同様である。
【００９６】
上記のように構成されたイヤホン４１は、図２１に例示したカナル型イヤホン６０と比較して中低音再現性が良い。また、イヤホン４１は、図１６のイヤホン３０と比較して、低音再現性が良くない反面、高音再現性が良い。高音再現性をより良くするためには、貫通孔３１ｃの径寸法は、より大きいことが好ましい。中低音再現性をより良くするためには、貫通孔３１ｃの径寸法は、より小さいことが好ましい。中低音再現性をより良くするためには、貫通孔３１ｃの径寸法は、非圧縮状態で１ｍｍ以下であることが好ましい。
【００９７】
なお、本発明の実施形態は上記の実施形態に限定されるものではなく、本発明の技術的思想の趣旨を逸脱しない範囲において様々に変更、置換、変形されてもよい。
【００９８】
例えば、第１実施形態のイヤホン１０は、キャップ１３を備えているが、キャップ１３は必須の構成要素ではない。
【００９９】
また、第４実施形態のイヤホン２０は、球形のイヤプラグ２３を備えているが、イヤプラグ２３は楕円球状であってもよい。第５及び第６実施形態も同様である。
【０１００】
また、第７実施形態では、イヤプラグ３１を構成する挿入部３２及び外側部３３が一体成型されているが、それぞれ別体として成型した挿入部３２と外側部３３とを互いに接合してイヤプラグ３１としてもよい。また、挿入部３２と外側部３３の材質（比重、柔軟性、音透過性）は相違してもよい。
【０１０１】
また、第７実施形態では、外側部３３がドライバユニット１２を収容しているが、挿入部３２がドライバユニット１２を収容してもよい。また、挿入部３２及び外側部３３により、ドライバユニット１２を一部ずつ収容してもよい。第８乃至第１０実施形態も同様である。
【０１０２】
また、第７実施形態において、ドライバユニット１２の代わりに、図１１に示す音響ユニット２１を備えてもよい。第９及び第１０実施形態も同様である。
【符号の説明】
【０１０３】
１０  イヤホン（音響装置）
１０Ｌ  左耳用のイヤホン（音響装置）
１０Ｒ  右耳用のイヤホン（音響装置）
１２  ドライバユニット
１２ａ  放音部
１２ｂ  側面
１３  キャップ
１５  イヤプラグ（保持体）
１５ａ  収容室
１５１  イヤプラグ（保持体）
１５１ａ  空洞
１５２  イヤプラグ（保持体）
１５２ａ  貫通孔
１６  コード
１７  挿入部
２０  イヤホン（音響装置）
２１  音響ユニット
２２  収容体
２２３  カバ−
２２３ａ  反射部
２２３ｂ  透過部
２３  イヤプラグ（保持体）
２５  イヤホン（音響装置）
２６  イヤホン（音響装置）
３０  イヤホン（音響装置）
３１  イヤプラグ（保持体）
３１ｃ  貫通孔
３２  挿入部
３２ａ  中空部
３３  外側部
３５  イヤホン（音響装置）
３６  音響ユニット
４０  イヤホン（音響装置）
４１  イヤホン
１００  耳
１１０  外耳道
１１０ａ  内壁
【図１】
2019121895.tif 000003
【図２】
2019121895.tif 000004
【図３】
2019121895.tif 000005
【図４】
2019121895.tif 000006
【図５】
2019121895.tif 000007
【図６】
2019121895.tif 000008
【図７】
2019121895.tif 000009
【図８】
2019121895.tif 000010
【図９】
2019121895.tif 000011
【図１０】
2019121895.tif 000012
【図１１】
2019121895.tif 000013
【図１２】
2019121895.tif 000014
【図１３】
2019121895.tif 000015
【図１４】
2019121895.tif 000016
【図１５】
2019121895.tif 000017
【図１６】
2019121895.tif 000018
【図１７】
2019121895.tif 000019
【図１８】
2019121895.tif 000020
【図１９】
2019121895.tif 000021
【図２０】
2019121895.tif 000022
【図２１】
2019121895.tif 000023